(57)【特許請求の範囲】
【請求項１】
記録媒体上のトラックから記録情報の読み取りを行って第１読取信号を得ると共に前記トラックに隣接する隣接トラックから記録情報の読み取りを行って第２読取信号を得る読取手段と、
前記第１読取信号及び前記第２読取信号を夫々サンプリングして第１読取サンプル値系列及び第２読取サンプル値系列各々に変換するＡ／Ｄ変換器と、
前記第２読取サンプル値系列をフィルタリング処理することによりクロストーク成分を求める可変係数フィルタと、
前記第１読取サンプル値系列から前記クロストーク成分を減算したものを読取サンプル値系列として得る減算器と、
前記読取サンプル値系列中からゼロクロスサンプル値を抽出するゼロクロスサンプル抽出手段と、
前記ゼロクロスサンプル値が０に収束するように前記可変係数フィルタのフィルタ係数を更新するフィルタ係数演算手段と、
前記読取サンプル値系列に基づいて前記記録情報に対応した再生信号の判定を行う判定手段とを有することを特徴とする記録情報再生装置。
【請求項２】
前記読取手段は、前記トラックの両側に隣接する２のトラックから読み取った読取信号を前記第２読取信号とすることを特徴とする請求項１記載の記録情報再生装置。
【請求項３】
前記可変係数フィルタは、トランスバーサルフィルタからなることを特徴とする請求項１記載の記録情報再生装置。
【請求項４】
前記ゼロクロスサンプル抽出手段は、読取サンプル値系列中の連続する３サンプル間においてサンプル値が正から負、あるいは負から正へと推移した場合に前記３サンプルの内の中央のサンプル値を前記ゼロクロスサンプル値とすることを特徴とする請求項１記載の記録情報再生装置。
【請求項５】
前記フィルタ係数演算手段は、ＬＭＳ適応アルゴリズムによる適応信号処理により前記ゼロクロスサンプル値を誤差信号として前記フィルタ係数を求めこれを更新して行くことを特徴とする請求項１記載の記録情報再生装置。
【発明の詳細な説明】
【０００１】
【発明の属する技術分野】
本発明は、記録媒体から記録情報の再生を行う記録情報再生装置に関する。
【０００２】
【従来の技術】
記録媒体としての光ディスクに情報データを高密度記録する方法として、ピット長を短くする、あるいは、トラックピッチを狭める等の方法が考えられる。しかしながら、トラックピッチを狭めると、その情報読み取り時に隣接トラックからのクロストークの影響を受けることになる。このようなクロストークが生じると、光ディスクから読み取られた読取信号は所望の波形となならず、それ故に、かかる読取信号からでは信頼性の高い再生信号を得ることが出来ない。
【０００３】
そこで、かかる光ディスクから記録情報の再生を行う記録情報再生装置においては、適応信号処理により上記クロストークを除去するようにしている。
例えば、特開平３−４０２２５号公報に提示されている記録情報再生装置においては、３ビームのピックアップ各々によって読み取られた互いに隣接する３つのトラックからの読取信号を用いてクロストーク除去を行う構成としている。
【０００４】
先ず、中央のトラックの両隣りのトラックから読み取られた読取信号各々に対して、周波数可変フィルタを用いた適応信号処理を施すことにより、中央トラックの情報読み取り時に生じるクロストーク成分とは逆極性のクロストークレプリカを求める。次に、このクロストークレプリカの各々を、上記中央のトラックから読み取られた読取信号に加算することによりクロストーク除去を行う。この際、かかる加算結果と、所定のリファレンス信号との誤差が０に収束するように、上記周波数可変フィルタのフィルタ係数が更新されて行くのである。つまり、上記リファレンス信号と同一信号パターンのプリアンブル信号を光ディスクの所定区間に予め記録しておき、このプリアンブル信号の読み取り期間中に、上述の如く、周波数可変フィルタのフィルタ係数の更新を行うのである。
【０００５】
従って、特開平３−４０２２５号公報に提示されている記録情報再生装置にて、クロストーク除去を行う為には、上述した如きプリアンブル信号を予め光ディスクに記録しておかなければならないので、光ディスクの情報記録容量が低下してしまうという問題があった。
【０００６】
【発明が解決しようとする課題】
本発明は、かかる問題を解決すべくなされたものであり、記録媒体の記録容量を犠牲にすることなく、高密度記録された記録媒体から読み取られた読取信号のクロストーク除去を行い、良好な再生信号を得ることができる記録情報再生装置を得ることを目的とする。
【０００７】
【課題を解決するための手段】
本発明による記録情報再生装置は、記録媒体上のトラックから記録情報の読み取りを行って第１読取信号を得ると共に前記トラックに隣接する隣接トラックから記録情報の読み取りを行って第２読取信号を得る読取手段と、前記第１読取信号及び前記第２読取信号を夫々サンプリングして第１読取サンプル値系列及び第２読取サンプル値系列各々に変換するＡ／Ｄ変換器と、前記第２読取サンプル値系列をフィルタリング処理することによりクロストーク成分を求める可変係数フィルタと、前記第１読取サンプル値系列から前記クロストーク成分を減算したものを読取サンプル値系列として得る減算器と、前記読取サンプル値系列中からゼロクロスサンプル値を抽出するゼロクロスサンプル抽出手段と、前記ゼロクロスサンプル値が０に収束するように前記可変係数フィルタのフィルタ係数を更新するフィルタ係数演算手段と、前記読取サンプル値系列に基づいて前記記録情報に対応した再生信号の判定を行う判定手段とを有する。
【０００８】
【発明の実施の形態】
図１は、本発明による記録情報再生装置の構成を示す図である。
図１において、レーザ発振器３から発せられたレーザビームは、グレーティングレンズ４を介して３本のビームに分割される。これら３本のビームは、ハーフミラー５及び対物レンズ６を介して、光ディスク１に照射される。スピンドルモータ２は、かかる光ディスク１を回転駆動せしめる。この際、対物レンズ６から光ディスク１へ照射される３本の情報読取ビームは、互いに隣接する３トラック各々に照射される。
【０００９】
図２は、上記３本の情報読取ビームにより光ディスク１の記録面に生じる各ビームスポットを示す図である。
図２に示されるが如く、中央のビームスポットＰＢがトラックＴに形成されている場合には、その隣接トラック（Ｔ＋１）にビームスポットＰＡが形成される。更に、トラックＴの隣接トラック（Ｔ−１）にはビームスポットＰＣが形成される。これらビームスポットＰＡ、ＳＢ及びＳＣ各々からの反射光は、対物レンズ６及びハーフミラー５を介して光検出器７に照射される。光検出器７は、上記ハーフミラー５を介して供給されたビームスポットＰＡからの反射光を光電変換したものを読取信号ＲＡとして得る。又、光検出器７は、上記ハーフミラー５を介して供給されたビームスポットＰＢからの反射光を光電変換したものを読取信号ＲＢとして得る。更に、光検出器７は、上記ハーフミラー５を介して供給されたビームスポットＰＣからの反射光を光電変換したものを読取信号ＲＣとして得る。これら読取信号ＲＡ、ＲＢ及びＲＣは、トラキングサーボ、フォーカスサーボ、スピンドルサーボの如き各種サーボを司るためのサーボ系（図示せず）に供給されると共に、夫々、Ａ／Ｄ変換器８Ａ〜８Ｃに供給される。
【００１０】
Ａ／Ｄ変換器８Ａは、上記読取信号ＲＡを所定サンプリングクロック毎にサンプリングして得られた読取サンプル値系列ＳＡをクロストーク除去回路１０に供給する。Ａ／Ｄ変換器８Ｂは、上記読取信号ＲＢを所定サンプリングクロック毎にサンプリングして得られた読取サンプル値系列ＳＢをクロストーク除去回路１０に供給する。Ａ／Ｄ変換器８Ｃは、上記読取信号ＲＣを所定サンプリングクロック毎にサンプリングして得られた読取サンプル値系列ＳＣをクロストーク除去回路１０に供給する。
【００１１】
尚、かかる所定サンプリングクロックの周波数は、光ディスク１に記録されている情報信号のチャネル周波数の整数倍に設定される。
クロストーク除去回路１０は、上記読取サンプル値系列ＳＡ、ＳＢ及びＳＣに対して、例えばＬＭＳ適応アルゴリズムを利用した適応信号処理を施すことにより、符号間干渉及びクロストークの影響を排除した波形を有する読取サンプル値系列Ｐを得て、これを判定器１２５に供給する。判定器１２５は、かかる読取サンプル値系列Ｐから、光ディスク１に記録されている記録情報に対応した再生信号の判定を行って得られた再生信号を出力する。
【００１２】
次に、かかるクロストーク除去回路１０の内部構成について説明する。
クロストーク除去回路１０は、可変係数フィルタ１１０、可変係数フィルタ１１１、可変係数フィルタ１１２、減算器１２０、ゼロクロスサンプル値抽出回路１３０、及びフィルタ係数演算回路１２３から構成される。
可変係数フィルタ１１０、１１１、及び１１２の各々は、例えば、図３に示されるが如きトランスバーサルフィルタからなる。
【００１３】
かかるトランスバーサルフィルタは、入力サンプル値系列を順次シフトしつつ取り込む直列ｎ段のＤフリップフロップＤ１〜Ｄｎ、入力サンプル値系列にフィルタ係数Ｃ０を乗算する係数乗算器Ｍ０、上記ＤフリップフロップＤ１〜Ｄｎの各出力にフィルタ係数Ｃ１〜Ｃｎを夫々乗算する係数乗算器Ｍ１〜Ｍｎ、及び、これら係数乗算器Ｍ０〜Ｍｎ各々によって乗算された値を全て加算したものを出力サンプル値系列として出力する加算器ＡＤ１から構成される。
【００１４】
かかる構成からなる可変係数フィルタ１１０は、上記読取サンプル値系列ＳＢを、フィルタ係数演算回路１２３から供給されたフィルタ係数ＢＣ０〜ＢＣｎにてフイルタ処理することにより、符号間干渉の除去された読取サンプル値系列Ｒを得て、これを減算器１２０に供給する。可変係数フィルタ１１１は、上記読取サンプル値系列ＳＡを、フィルタ係数演算回路１２３から供給されたフィルタ係数ＡＣ０〜ＡＣｎにてフイルタ処理することにより、隣接トラック（図２におけるトラックＴ＋１）からのクロストーク成分に対応したクロストークサンプル値系列ＣＲ１を得て、これを減算器１２０に供給する。可変係数フィルタ１１２は、上記読取サンプル値系列ＳＣを、フィルタ係数演算回路１２３から供給されたフィルタ係数ＣＣ０〜ＣＣｎにてフイルタ処理することにより、隣接トラック（図２におけるトラックＴ−１）からのクロストーク成分に対応したクロストークサンプル値系列ＣＲ２を得て、これを減算器１２０に供給する。
【００１５】
減算器１２０は、上記読取サンプル値系列Ｒから、クロストークサンプル値系列ＣＲ１及びＣＲ２を夫々減算した信号を読取サンプル値系列Ｐとし、これを判定器１２５及びゼロクロスサンプル値抽出回路１３０の各々に供給する。
ゼロクロスサンプル値抽出回路１３０は、上記波形等化読取サンプル値系列Ｒ中の連続する３サンプル間において、そのサンプル値が正から負、あるいは負から正へと推移した場合に、かかる３サンプルの内の中央のサンプル値、すなわちゼロクロスサンプル値を抽出し、これを誤差信号ｅとしてフィルタ係数演算回路１２３に供給する。
【００１６】
フィルタ係数演算回路１２３は、上記読取サンプル値系列ＳＡ及び誤差信号ｅに基づいてフィルタ係数ＡＣ０〜ＡＣｎを求め、これを可変係数フィルタ１１１のフィルタ係数Ｃ０〜Ｃｎとしてかかる可変係数フィルタ１１１に供給する。又、フィルタ係数演算回路１２３は、上記読取サンプル値系列ＳＢ及び誤差信号ｅに基づいてフィルタ係数ＢＣ０〜ＢＣｎを求め、これを可変係数フィルタ１１０のフィルタ係数Ｃ０〜Ｃｎとしてかかる可変係数フィルタ１１０に供給する。更に、フィルタ係数演算回路１２３は、上記読取サンプル値系列ＳＣ及び誤差信号ｅに基づいてフィルタ係数ＣＣ０〜ＣＣｎを求め、これを可変係数フィルタ１１２のフィルタ係数Ｃ０〜Ｃｎとしてかかる可変係数フィルタ１１２に供給する。
【００１７】
フィルタ係数演算回路１２３は、ＬＭＳ適応アルゴリズムにより、上記誤差信号ｅが０に収束するように、フィルタ係数ＡＣ０〜ＡＣｎ、ＢＣ０〜ＢＣｎ、及びＣＣ０〜ＣＣｎ各々を更新して行く。
図４は、かかるフィルタ係数演算回路１２３の内部構成を示す図である。
図４において、読取サンプル値系列ＳＡ及び誤差信号ｅに基づいてフィルタ係数ＡＣ０〜ＡＣｎを求める係数演算回路ＡＬａと、読取サンプル値系列ＳＢ及び誤差信号ｅに基づいてフィルタ係数ＢＣ０〜ＢＣｎを求める係数演算回路ＡＬｂと、読取サンプル値系列ＳＣ及び誤差信号ｅに基づいてフィルタ係数ＣＣ０〜ＣＣｎを求める係数演算回路ＡＬｃとは、互いに同一回路である。
【００１８】
例えば、係数演算回路ＡＬａは、読取サンプル値系列ＳＡを順次シフトしつつ取り込む直列ｎ段のＤフリップフロップＤＦ１〜ＤＦｎ、及び乗算器ＭＭ０〜ＭＭｎから構成される。乗算器ＭＭ０は、読取サンプル値系列ＳＡに誤差信号ｅ及び修正係数μを夫々乗算したものをフィルタ係数ＡＣ０として出力する。又、乗算器ＭＭ１〜ＭＭｎの各々は、上記ＤフリップフロップＤＦ１〜ＤＦｎの各出力に、誤差信号ｅ及び修正係数μを夫々乗算したものをフィルタ係数ＡＣ１〜ＡＣｎとして出力する。
【００１９】
尚、かかる修正係数μは、ＬＭＳ適応アルゴリズムの収束性を調整する為の係数である。すなわち、この修正係数μを大にすると、上記誤差信号ｅを０にする際の収束速度を上げることが出来るが、発散の可能性が生じる。又、この修正係数μを小にすると、収束が保証されるものの、この収束速度が遅くなるのである。
【００２０】
以上の如く、かかるクロストーク除去回路１０においては、例えばＬＭＳ適応アルゴリズムを利用した適応ディジタルフィルタによる適応信号処理により、先ず、中央のビームスポットＰＢにてトラックＴから読み取られた読取信号から符号間干渉を排除した読取サンプル値系列Ｒを得る。更に、かかる適応信号処理により、上記トラックＴに隣接する両トラックから読み取られた読取信号に基づいて、クロストーク成分に対応したクロストークサンプル値系列ＣＲ１及びＣＲ２を求める。ここで、上記読取サンプル値系列Ｒから、隣接トラックからのクロストーク成分に対応したクロストークサンプル値系列ＣＲ１及びＣＲ２を減算することにより、クロストークの影響を排除した読取サンプル値系列Ｐを得るのである。
【００２１】
この際、本発明においては、かかる読取サンプル値系列Ｐ中の連続する３サンプル間において、そのサンプル値が正から負、あるいは負から正へと推移した場合に、かかる３サンプルの内の中央のサンプル値、すなわちゼロクロスサンプル値を抽出し、これを誤差信号ｅとして上記ディジタルフィルタのフィルタ係数の更新を行うようにしている。
【００２２】
すなわち、読取信号がナイキストの第２基準を満たすように波形等化され、かつ、クロストークが生じていない場合には、図５のアイパターンに示されるが如く、読取信号は、そのサンプリング時点において０を交差する場合が存在する。しかしながら、クロストークが生じると読取信号の波形は変形してしまい、サンプリング時点において０交差しなくなる。
【００２３】
そこで、本発明においては、ゼロクロス時点におけるサンプル値が０でない場合には、その誤差分に応じたクロストークが生じていると判断し、この誤差分に対応したゼロクロスサンプル値が０に収束するように、可変係数フィルタのフィルタ係数を更新する構成としたのである。
【００２４】
【発明の効果】
以上、詳述したように本発明によれば、記録媒体の記録容量を犠牲にすることなく、この記録媒体から読み取られた読取信号のクロストーク除去が可能となるので、信頼性の高い再生信号が得られて好ましいのである。
【図面の簡単な説明】
【図１】本発明による記録情報再生装置の構成を示す図である。
【図２】ビームスポットとトラックとの対応を示す図である。
【図３】トランスバーサルフィルタの構成を示す図である。
【図４】フィルタ係数演算回路１２３の内部構成を示す図である。
【図５】読取信号のアイパターンの一例を示す図である。
【主要部分の符号の説明】
１０  クロストーク除去回路
１１０〜１１２  可変係数フィルタ
１２３  フィルタ係数演算回路
１３０  ゼロクロスサンプル値抽出回路
【図１】
0003622872.tif 000002
【図２】
0003622872.tif 000003
【図３】
0003622872.tif 000004
【図４】
0003622872.tif 000005
【図５】
0003622872.tif 000006